(57)【要約】【課題】津波により倒壊した家屋、車両や漁船等の大きな漂流物が、避難用タワタワーの支柱や階段に激突しても倒壊したり、折損したりすることのない津波避難用タワーを提供する。【解決手段】昇降階段や昇降梯子を備えることなく、地盤２上に、少なくとも８ｍ以上の間隔を有し、且つ予想津波高さ以上の高さを有する少なくとも一対の丸型鋼管支柱１、あるいは丸型コンクリート支柱１を立設し、且つ該支柱１の上端に避難者の避難用床面３を支架固定する【選択図】図３
2014055487.tif 000002
【特許請求の範囲】
【請求項１】
昇降階段や昇降梯子を備えることなく、地盤上に、少なくとも８ｍ以上の間隔を有し、且つ予想津波高さ以上の高さを有する少なくとも一対の丸型鋼管支柱、あるいは丸型コンクリート支柱を立設し、且つ該支柱の上端に避難者の避難用床面を支架固定すると共に、該避難用床面の四周端縁部に落下防止用の手摺りを立設し、更に前記床面の上方に太陽光パネルを装着した尾根板を取付けると共に、前記床面上に前記太陽光パネルにより自家発電された電気エネルギーを蓄電する蓄電池を設置し、且つ前記蓄電池よりの電気エネルギーで、前記床面に設置された巻上機を作動させて、前記屋根板上において前方へ突出したアームの先端に吊り下げられた昇降籠を、前記支柱の側面に沿って上下動できるよう設置され、且つ津波警報発令時に管理官庁よりの無線による指令信号を受けて前記昇降籠を下降させる制御装置を前記床面に設ける一方、前記昇降籠には前記制御装置を無線で操作するリモコンが設置され、且つ津波警報発令時以外は、前記昇降籠は折り畳まれて袋に収納して前記アームの先端に接して吊り下げられていることを特徴とする津波避難用タワー。
【発明の詳細な説明】
【技術分野】
【０００１】
本発明は、津波警報が発令されたときに、避難者が緊急に避難する際に使用する津波避難用タワーに関するものである。
【背景技術】
【０００２】
津波警報が発令されたときは、避難者は直ちに高台へ避難することが必要であるが、その高台が避難者地域から遠いために、津波の到来までに避難を完了することができず、平成２３年３月１１日に発生した東日本大地震に伴って襲来した津波によって多くの人命が失われた。特に、高齢者、身体に障害のある人達や入院患者等は、高台への早急な避難は困難で、多くの犠牲者が出た。
【０００３】
従来、前記のような津波による犠牲者をなくすために、津波の来襲が予想される地域では避難用タワーが数多く設置されている。また、津波による避難対策としての避難用タワーに関する過去の特許文献を遡及検索すると、例えば、下記特許文献１には、道路を隔てた対応位置に１対ずつの金属製支柱が立設されて避難用床面を設けて形成された津波避難用タワーが開示されている。
【先行技術文献】
【特許文献】
【０００４】
【特許文献１】特許第４６７８５３５号公報
【発明の概要】
【発明が解決しようとする課題】
【０００５】
前記津波の来襲が予想される地域に設置されている避難用タワーは、避難者が避難用床面まで昇るための階段が取付けられおり、また、前記特許文献１記載の津波避難タワーも、道路を隔てた対応位置に１対ずつの金属製支柱が立設されて床面を設けて形成されているが、避難者が避難用床面まで昇るための階段が複数設置されているため、津波により倒壊した家屋、車両や漁船等の大きな漂流物が、前記タワーの支柱や階段に激突して避難用タワーが倒壊したり、折損したりして、折角避難した避難者を再び危険な状態に落ち入らせるという課題があった。
【０００６】
本発明は、前記課題を解決すべくなされたものであって、避難者が避難用床面まで昇るための昇降階段や昇降梯子を備えることなく、避難用床面を固定する少なくとも一対の丸型鋼管支柱、あるいは丸型コンクリート支柱を立設することにより、津波により倒壊した家屋、車両や漁船等の大きな漂流物が、前記タワーの支柱や階段に激突しても、該支柱が断面丸型で接触面積が小さいので、前記漂流物の接触圧も弱く、そのため避難用タワーが倒壊したり、折損したりすることのない津波避難用タワーを提供しようとするものである。
【課題を解決するための手段】
【０００７】
本発明は、昇降階段や昇降梯子を備えることなく、地盤上に、少なくとも８ｍ以上の間隔を有し、且つ予想津波高さ以上の高さを有する少なくとも一対の丸型鋼管支柱、あるいは丸型コンクリート支柱を立設し、且つ該支柱の上端に避難者の避難用床面を支架固定すると共に、該避難用床面の四周端縁部に落下防止用の手摺りを立設し、更に前記床面の上方に太陽光パネルを装着した尾根板を取付けると共に、前記床面上に前記太陽光パネルにより自家発電された電気エネルギーを蓄電する蓄電池を設置し、且つ前記蓄電池よりの電気エネルギーで、前記床面に設置された巻上機を作動させて、前記屋根板上において前方へ突出したアームの先端に吊り下げられた昇降籠を、前記支柱の側面に沿って上下動できるよう設置され、且つ津波警報発令時に管理官庁よりの無線による指令信号を受けて前記昇降籠を下降させる制御装置を前記床面に設ける一方、前記昇降籠には前記制御装置を無線で操作するリモコンが設置され、且つ津波警報発令時以外は、前記昇降籠は折り畳まれて袋に収納して前記アームの先端に接して吊り下げられているという構成を採用することにより、上記課題を解決した。
【発明の効果】
【０００８】
上記構成より成る本発明津波避難用タワーは、各支柱には従来の津波避難用タワーに備えられているような昇降階段や昇降梯子を備えていないため、津波により倒壊した家屋、車両や漁船等の大きな漂流物が、前記タワーの支柱や階段に激突して避難用タワーが倒壊したり、折損したりして、折角避難した避難者を再び危険な状態に落ち入らせるということがなく、また、本発明津波避難用タワーは、前記のように支柱の外部へ突出する昇降階段や昇降梯子等の昇降手段は何ら設置されていないので、津波警報発令があった以外は何人も登ることができず、人がよじ登って落下する等の事故が発生せず、またいたずらされることもない。更に、本発明津波避難用タワーを、道路を隔てた対応位置に設置すれば、通行の邪魔にならず、道路を通って避難者がタワーに行きつき易いという優れた効果もある。
【図面の簡単な説明】
【０００９】
【図１】本発明津波避難用タワーの不使用時の正面図である。
【図２】本発明津波避難用タワーの一部を切り欠いて示す平面図である。
【図３】津波警報発令時に第１番目の避難者が本発明津波避難用タワーに昇っているときの状態を示す正面図である。
【図４】津波警報発令時に第２番目以降の避難者が本発明津波避難用タワーに昇っているときの状態を示す正面図である。
【実施例】
【００１０】
本発明に係る津波避難用タワーは、昇降階段や昇降梯子を備えることなく、例えば、道路を隔てた対応位置や避難しやすい場所等の地盤上に、少なくとも道路巾（８ｍ）程度の間隔を有して、予想津波高さ以上の高さを有する少なくとも一対の丸型鋼管支柱、あるいは丸型コンクリート支柱を立設し、且つ該支柱の上端に避難者の避難用床面を支架固定する一方、該避難用床面の四周端縁部に落下防止用の手摺りを立設し、且つ前記床面の上方には太陽光パネルを装着した尾根板を取付けると共に、前記床面上には前記太陽光パネルにより自家発電された電気エネルギーを蓄電する蓄電池が設置される一方、前記蓄電池よりの電気エネルギーで前記支柱の側面に沿って上下動する昇降籠が設置され、更に、津波発生時に管理官庁よりの指令信号により前記昇降籠を下降させる制御装置を設けて形成されている。以下、図面に基づいて詳細に説明するが、説明の都合上、前記地盤は道路として説明し、また前記支柱は丸型鋼管支柱として説明する。
【００１１】
図に示すように、予想津波高さ以上の高さを有する１対の丸型鋼管支柱１を２車線の道路巾（８ｍ）程度の巾を有して道路（地盤）２を隔てた対応位置対向して立設する。前記支柱１は、津波のエネルギーを受けても倒壊あるいは折損することがなく、地盤２上に立設されることが必要である。そのため、図に示すように、地盤２中に、前記支柱１の下方部を埋設固定して強固に立設する。なお、本発明における支柱１には、従来の津波避難用タワーに設置されている昇降階段や昇降梯子のように、支柱１の外部へ突出する昇降手段は何ら設置されていない。これが本発明津波避難用タワーの大きな特徴である。前記のように、本発明津波避難用タワーは、支柱１の外部へ突出する昇降手段は何ら設置されていないので、津波警報発令があった以外は何人も登ることができず、従って、よじ登りによる事故が発生せず、またいたずらされることもない。
【００１２】
本発明においては、支柱１の形状を横断面丸型に限定していると共に、各支柱１間の間隔を少なくとも道路巾（２車線８ｍ）以上の巾を有するようにしているが、津波によって、漂流している倒壊した家屋、車輌や漁船等の漂流物が、前記支柱１間を通過するようにすると共に、前記漂流物が支柱１に激闘しても、該支柱１が丸型であるため前記漂流物との接触面積が小さいので、該漂流物が各支柱１間に掛止してその重みで、該支柱１が倒壊したり、折損しないようにするためである。
【００１３】
前記道路（地盤）２上に立設された各支柱１の上端には、避難した避難者が津波の危険が去るまで待機する床面３が支架固定されている。前記床面３の固定方法は、特に限定する必要ないが、好ましくは、図２に示すように、前記各支柱１に支架した方形枠状の固定枠４に鉄板５を固定して形成することが推奨される。また、前記床面３の四周縁部には、避難者が落下することがないよう手摺り６が設置されているが、後述する昇降籠１０を床面３上に引き寄せ、該昇降籠１０に乗ってきた避難者が床面３上に乗り移るため、前記昇降籠１０が両方の支柱１に設置されている場合は、両端部側の手摺り６ａは開閉・掛止可能に形成されている。また、図に示すように、前記昇降籠１０が一方側の支柱１のみに設置されている場合は、その一方側のみの手摺り６ａが、開閉・掛止可能に形成されている。更に、図においては、１対の支柱１が設置されているが、設置場所に応じて複数対の支柱1を設置して、床面２の面積を大とすることも可能である。
【００１４】
また、前記床面３の上方には、太陽光パネル７を装着した屋根板８が設置されると共に、前記床面３上には前記太陽光パネル７で自家発電された電気エネルギーを蓄電する蓄電池９が設置されている。
【００１５】
更に、少なくとも一方側の支柱１の外周壁面に沿って上下動する昇降籠１０が設置されている（図においては、一方側の支柱１のみに設置されている）。前記昇降籠１０は、前記床面３上に前記蓄電池９より電気エネルギーを受けて作動する巻上機１１によって上昇・下降するよう形成されている。すなわち、前記屋根板８の上方から前方へ突出したアーム１２の基端部に、前記床面３上に設置されたウインチ等の巻上機１１が連結され、且つ該巻上機１１のワイヤ１３が、前記アーム１２先端のプーリー１４を介して下方向へ延出され、且つ該ワイヤ１３の先端には避難者を乗せて床面３上まで引き上げる昇降籠１０が連結されて形成されている。前記昇降籠１０は折り畳み可能なようにネットで形成することが好ましい。
【００１６】
本発明津波避難用タワーには、前記したように、昇降階段や昇降梯子を備えておらず、唯一の昇降手段は前記昇降籠１０のみである。本発明においては、昇降籠１０の昇降を制御する制御装置１５が前記蓄電池９に接続されて床面３上に設置されている。そして、前記制御装置１５は、市・区・町・村役所、または警察署あるいは消防署等の管理官庁と無線で接続され、津波警報の発令と同時に、前記制御装置１５を起動させて前記アーム１２先端に折り畳まれて掛止されていた昇降籠１０を下方へ降下するよう、管理官庁よりの無線による指令信号を発し、これにより巻上機１１を逆転させて、前記昇降籠１０を地上へ降下せしめるよう構成されている。前記昇降籠１０には、前記制御装置１５と無線で接続された、上昇・降下・停止の押ボタンスイッチを備えたリモコン１６が取付けられている。なお、図中、１７は制御装置１５に取り付けられたアンテナで、前記管理官庁よりの無線による指令信号を受信すると共に、前記昇降籠１０に取り付けられたリモコン１６による指令信号を受信する。更に、図中、１８は前記昇降籠１０に取り付けられた底板で、津波警報発令時までは、前記床面３上に配置してある。
【００１７】
前記のように構成された本発明津波避難用タワーの作用について説明する。津波警報が発令される前までは、前記昇降籠１０は、図１に示すように、アーム１２先端に折り畳まれて、袋１９などに収納されてアーム１２先端に掛止されていると共に、底板１８は前記床面３上に配置してある。そして、津波警報が発令されると、管理官庁は津波の規模により、前記タワーに設置された制御装置１５に無線で指令信号を発して、前記巻上機１１を逆回転させて、今までアーム１２先端に掛止されていた昇降籠１０を地面上へ降下させ、第１番目の避難者が該昇降籠１０を包んでいた袋１９から昇降籠１０を取り出して、第１番目の避難者が乗ることができるようにする準備段階を完了する。
【００１８】
そして、第１番目の避難者が昇降籠１０に乗り込んで、該昇降籠１０内に設置されたリモコン１６により、上昇ボタンを押して、昇降籠１０を床面３まで上昇させる。床面３上に降りた第１番目の避難者は、前記床面３上に配置してある底板１８を昇降籠１０にセットして、第２番目以降の避難者が乗降し易いようにした後、前記制御装置１５を手動で操作して、昇降籠１０を地面上へ降下させ、２番目の避難者を床面３上に避難させる。以下、同様の操作を繰返して避難者を安全な床面３上に避難させるのである。
【００１９】
そして、津波に対する避難解除通知があった後は、前記制御装置１５を今までとは逆の操作をして、床面から避難者を順に降ろして行き、最後の避難者が今まで昇降籠１０に取り付けていた底板１８を取外して床面３上に戻した後、昇降籠１０に乗ってリモコン１６を操作して地上に降りる。地上に降りた最後の避難者は、前記昇降籠１０を小さく折り畳んで袋１９に収納する。その後、管理官庁は前記タワーに設置された制御装置１５に無線で指令信号を発して、前記巻上機１１を正回転させて前記袋に収納された昇降籠１０を上昇させて前記アーム１２の先端に掛止させ、最後に管理官庁は無線で指令信号を発して前記御装置１５の作動を停止させることにより、避難用タワーの操作は完了する。なお、前記昇降籠１０を小さく折り畳んで耐熱・耐寒および耐水性の袋１９に収納することにより、天候の変化に耐えることもでき、更に強風が吹いても落下する虞れがない。
【符号の説明】
【００２０】
１  支柱
２  地盤
３  床面
４  固定枠
５  鉄板
６  手摺り
６ａ  手摺り
７  太陽光パネル
８  屋根板
９  蓄電池
１０  昇降籠
１１  巻上機
１２  アーム
１３  ワイヤ
１４  プーリー
１５  制御装置
１６  リモコン
１７  アンテナ
１８  底板
１９  袋
【図１】
2014055487.tif 000003
【図２】
2014055487.tif 000004
【図３】
2014055487.tif 000005
【図４】
2014055487.tif 000006